(57)【要約】【課題】湿度センサを新設することなく、適度に空気調和機の内部を乾燥させる。【解決手段】空調用空気の吸込み口の付近の湿度センサ（１１）、吸込み口から内部への正方向、または、内部から吸込み口への逆方向にファンを回転させるモータ（１３）、ファンの逆方向回転指示をモータに行い、湿度センサ検出の湿度に応じて、ファンの正方向回転指示による送風運転を行うか否かを判定する制御部（１４）を備えた空気調和機（１）。【選択図】図１
2018031577.tif 000002
【特許請求の範囲】
【請求項１】
空調を施す空気の吸い込み口の付近に設置された湿度センサと、
上記吸い込み口から内部へ吸気する方向である正方向、または、内部から上記吸い込み口へ排気する方向である逆方向にファンを回転させるモータと、
上記ファンを上記逆方向に回転させる指示を上記モータに対して行い、上記ファンを上記逆方向に回転させた状態で、上記湿度センサにより検出された湿度に応じて、上記ファンを上記正方向に回転させる指示を上記モータに対して行うことによる送風運転を行うか否かを判定する制御部と、
を備えていることを特徴とする空気調和機。
【請求項２】
上記制御部は、
上記ファンを上記逆方向に所定時間回転させる指示を上記モータに対して行い、
上記ファンを上記所定時間回転させた後に、上記湿度センサにより検出された湿度に応じて、上記送風運転を行うか否かを判定する
ことを特徴とする請求項１に記載の空気調和機。
【請求項３】
上記制御部は、
上記湿度の上昇値が所定の閾値以上である場合に、上記送風運転を行う
ことを特徴とする請求項２に記載の空気調和機。
【請求項４】
上記制御部は、
上記湿度の上昇値と上記所定の閾値との差分に応じて、上記送風運転の継続時間を調整する
ことを特徴とする請求項３に記載の空気調和機。
【請求項５】
上記制御部は、
上記湿度の上昇値と上記所定の閾値との差分に応じて、上記送風運転における上記ファンの回転速度を調整する
ことを特徴とする請求項３に記載の空気調和機。
【請求項６】
上記制御部は、
上記ファンを上記逆方向に第１の所定時間回転させる指示を上記モータに対して行い、
上記ファンを上記第１の所定時間回転させた後に、上記湿度センサにより検出された湿度に応じて、上記送風運転を行うか否かを判定し、
上記送風運転を行うと判定した場合に、上記ファンを上記逆方向に第２の所定時間回転させる指示を上記モータに対して行い、
上記ファンを上記第２の所定時間回転させた後に、上記湿度センサにより検出された湿度に応じて、上記送風運転を行うか否かを判定する
ことを特徴とする請求項１に記載の空気調和機。
【請求項７】
空気調和機に備えられた制御部が、
内部から、空調を施す空気の吸い込み口へ排気する方向である逆方向にファンを回転させた状態で、上記吸い込み口の付近に設置された湿度センサによって、湿度を測定するステップと、
上記湿度センサにより検出された湿度に応じて、上記吸い込み口から内部へ吸気する方向である正方向に上記ファンを回転させる送風運転を行うか否かを判定するステップと、
を実行することを特徴とする空気調和機の内部乾燥方法。
【発明の詳細な説明】
【技術分野】
【０００１】
本発明は、空気調和機、空気調和機の内部乾燥方法、および、空気調和機の制御プログラムに関する。
【背景技術】
【０００２】
従来から、空気調和機には、内部にカビが生えやすいという問題がある。これは、空気調和機の内部では、運転に伴って高湿度な状態が継続していることによる。
【０００３】
そのような問題の対策として、特許文献１には、空気調和機において、空気調和機の内部の水分を除去するために、空気調和運転後に一定時間だけ強制的に送風運転を行うことが開示されている。ただし、特許文献１の技術では、空気調和機内部の湿度を測定していないので、送風運転が不要な程度に内部が乾燥していたとしても送風運転を行うという無駄が生じ得る。
【先行技術文献】
【特許文献】
【０００４】
【特許文献１】特開平９−１２６５２８号公報（１９９７年５月１６日公開）
【発明の概要】
【発明が解決しようとする課題】
【０００５】
そこで、カビ対策としては、熱交換器（ファンに面している側）から吹き出し口の間に温湿度センサを設置することで、空気調和機の内部の湿度を測定する構成を本願発明者らは考えた。この構成を用いれば、内部の湿度を常に監視できるため、内部が乾燥状態になるまで無駄なく内部乾燥運転を実施できる。
【０００６】
しかしながら、上述のような従来技術に、上記構成を適用した場合、温度センサや湿度センサを室内機の内部に設置する必要があるので、コストがかかるという問題がある。また、送風経路に温度センサや湿度センサを新たに設置することになるので、送風抵抗が増加するという問題がある。
【０００７】
本発明は、前記の問題点に鑑みてなされたものであり、その目的は、湿度センサを新設することなく、適度に空気調和機の内部を乾燥させることにある。
【課題を解決するための手段】
【０００８】
上記の課題を解決するために、本発明の一態様に係る空気調和機は、空調を施す空気の吸い込み口の付近に設置された湿度センサと、上記吸い込み口から内部へ吸気する方向である正方向、または、内部から上記吸い込み口へ排気する方向である逆方向にファンを回転させるモータと、上記ファンを上記逆方向に回転させる指示を上記モータに対して行い、上記ファンを上記逆方向に回転させた状態で、上記湿度センサにより検出された湿度に応じて、上記ファンを上記正方向に回転させる指示を上記モータに対して行うことによる送風運転を行うか否かを判定する制御部と、を備えている。
【０００９】
上記の課題を解決するために、本発明の一態様に係る空気調和機の内部乾燥方法は、空気調和機に備えられた制御部が、内部から、空調を施す空気の吸い込み口へ排気する方向である逆方向にファンを回転させた状態で、上記吸い込み口の付近に設置された湿度センサによって、湿度を測定するステップと、上記湿度センサにより検出された湿度に応じて、上記吸い込み口から内部へ吸気する方向である正方向に上記ファンを回転させる送風運転を行うか否かを判定するステップと、を実行する。
【発明の効果】
【００１０】
本発明の一態様によれば、湿度センサを新設することなく、適度に空気調和機の内部を乾燥させることができるとの効果を奏する。
【図面の簡単な説明】
【００１１】
【図１】本発明の実施形態１に係る空気調和機の要部構成を示すブロック図である。
【図２】本発明の実施形態１に係る空気調和機の内部構成を示す断面図である。
【図３】本発明の実施形態１に係る空気調和機の内部構成を示す断面図である。
【図４】本発明の実施形態１に係る制御部の処理を示すフローチャートである。
【図５】本発明の実施形態１に係る空気調和機の冷房運転後における、逆方向のファン回転の時間と、温湿度センサが測定した湿度との関係を示すグラフである。
【図６】本発明の実施形態２に係る制御部の処理を示すフローチャートである。
【図７】本発明の実施形態３に係る制御部の処理を示すフローチャートである。
【図８】本発明の実施形態４に係る制御部の処理を示すフローチャートである。
【発明を実施するための形態】
【００１２】
〔実施形態１〕
以下、本発明の実施形態１について、詳細に説明する。
【００１３】
（空気調和機１）
図１は、本実施形態に係る空気調和機１の要部構成を示すブロック図である。空気調和機１は、図１に示すように、温湿度センサ（湿度センサ）１１、ルーバ用モータ１２、ファン用モータ（モータ）１３、および、制御部１４を備えている。空気調和機１では、温湿度センサ１１、ルーバ用モータ１２、および、ファン用モータ１３と、制御部１４とが通信可能に接続されている。温湿度センサ１１は、空調を施す空気の吸い込み口の付近に設置され、本来的に室内の温度および湿度を測定するセンサである。ルーバ用モータ１２は、空気の吹き出し口に設置され、空気の吹き出し方向を変えるルーバを開閉し、当該ルーバの向きを調節するモータである。ファン用モータ１３は、空気調和機１の内部における空気の流れを生成するファンを回転させるモータである。制御部１４は、温湿度センサ１１から温度および湿度のデータを取得し、当該温度および湿度のデータに応じて、ルーバ用モータ１２、および、ファン用モータ１３を制御する。
【００１４】
図２は、本実施形態に係る空気調和機１の内部構成を示す断面図である。ファン１５は、内部１Ｂに設置され、内部１Ｂにおける空気の流れを生成する。ファン１５が正方向（図２では時計回り）に回転した場合に、空気は、吸い込み口１Ａ、内部１Ｂ、吹き出し口１Ｃの順に流れる。すなわち、正方向は、吸い込み口１Ａから内部１Ｂへ吸気する方向である。従って、正方向の回転によりファン１５の内部１Ｂの湿度を測定するには、吹き出し口１Ｃの周辺に湿度センサを設置する必要がある。また、正方向の回転を行う限り、吸い込み口１Ａに設置されている温湿度センサ１１は、空気調和機１の内部１Ｂにおける空気の湿度を測定できず、空気調和機１の外部における空気の湿度しか測定できない。
【００１５】
図３は、本実施形態に係る空気調和機１の内部構成を示す断面図である。ファン１５が逆方向（図３では反時計回り）に回転した場合に、空気は、吹き出し口１Ｃ、内部１Ｂ、吸い込み口１Ａの順に流れる。すなわち、逆方向は、内部１Ｂから吸い込み口１Ａへ排気する方向である。従って、吸い込み口１Ａに設置されている温湿度センサ１１は、内部１Ｂから吸い込み口１Ａに流れて来る空気の湿度を測定することができる。
【００１６】
制御部１４は、ファン１５を逆方向に回転させる指示をファン用モータ１３に対して行い、ファン１５を逆方向に回転させた状態で、温湿度センサ１１により検出された湿度に応じて、ファン１５を正方向に回転させる指示をファン用モータ１３に対して行うことによる送風運転を行うか否かを判定する。
【００１７】
（制御部１４の処理）
図４は、本実施形態に係る制御部１４の処理を示すフローチャートである。これは、空気調和機１における内部乾燥運転の処理フローである。空気調和機１は、冷房運転の終了後に内部乾燥運転を実施する。また、除湿運転を行う場合にも、その終了後に内部乾燥運転を実施する。なお、空気調和機１は、内部乾燥運転を自動で実施するか否かをユーザのリモコン操作により設定可能としてもよい。
【００１８】
制御部１４は、内部乾燥運転の送風中に、内部１Ｂが乾燥した状態になるまで、定期的に逆方向のファン回転を行う。制御部１４は、吸い込み口１Ａに設置された温湿度センサ１１を用いて、逆方向のファン回転の前後における空気の湿度を測定する。制御部１４は、逆方向のファン回転の前後における空気の湿度の差分を湿度の上昇値とする。制御部１４は、湿度の上昇値により内部１Ｂが乾燥しているか否かを判定し、湿度の上昇値が所定の閾値以下になるまで内部乾燥運転の送風を繰り返し、湿度の上昇値が所定の閾値以下になった場合に暖房運転を行う。
【００１９】
以下に、図４を参照しながら、処理の詳細を説明する。
【００２０】
制御部１４は、送風運転を一例として３０分実施する（Ｓ４０１）。制御部１４は、ルーバ用モータ１２にルーバを開くように指示し、ファン用モータ１３に正方向のファン回転を行うように指示する。
【００２１】
制御部１４は、空気の湿度を測定する（Ｓ４０２）。制御部１４は、吸い込み口１Ａに設置されている温湿度センサ１１から湿度のデータを取得する。なお、Ｓ４０２の処理は、Ｓ４０１の終了後に続けて行ってもよいし、以下のＳ４０３の処理、すなわち、ファン１５の逆回転の開始と同時に行ってもよい。なお、制御部１４は、Ｓ４０１の処理中に空気の湿度を測定することにより、室内の空気の湿度をより正確に測定することができる。
【００２２】
送風運転の開始から３０分が経過した場合、制御部１４は、逆方向のファン回転を一例として１０分実施する（Ｓ４０３）。制御部１４は、ファン１５を逆方向に１０分（所定時間）回転させる指示をファン用モータ１３に対して行う。これにより、室内機１８の内部１Ｂが乾燥していない場合、Ｓ４０２で測定した空気の湿度よりも、温湿度センサ１１付近の湿度が高くなる。なお、逆方向のファン回転の時間は、５分であってもよい。
【００２３】
制御部１４は、ファン１５を１０分（所定時間）回転させた後に、温湿度センサ１１により検出された湿度に応じて、送風運転を行うか否かを判定する。以下に、詳細を説明する。
【００２４】
逆方向のファン回転から１０分が経過した場合、制御部１４は、内部１Ｂにおける空気の湿度を測定する（Ｓ４０４）。そして、制御部１４は、Ｓ４０４で測定した湿度からＳ４０２で測定した湿度を減算し、その減算した差分を湿度の上昇値とする。
【００２５】
制御部１４は、湿度の上昇値が閾値であるβ値以上であるか否かを判定する（Ｓ４０５）。湿度の上昇値がβ値以上でない、すなわち、湿度の上昇値がβ値よりも小さい場合（Ｓ４０５のＮＯ）、内部１Ｂがほぼ乾燥した状態になったことを意味するので、制御部１４は、暖房運転を一例として１０分実施して乾燥仕上げを行い（Ｓ４０６）、内部乾燥運転の一連の処理を終了する。湿度の上昇値がβ値（所定の閾値）以上である場合（Ｓ４０５のＹＥＳ）、内部１Ｂの乾燥が不十分であることを意味するので、制御部１４は、再度送風運転を３０分実施する（Ｓ４０１）。
【００２６】
なお、Ｓ４０１における２回目以降の送風運転の時間を、回数が増えるごとに、少しずつ（例えば５分ずつ）短くしてもよい。また、Ｓ４０５において、制御部１４は、湿度の上昇値がβ値よりも大きいか否かを判定してもよい。
【００２７】
図５は、本実施形態に係る空気調和機１の冷房運転後における、逆方向のファン回転の時間と、温湿度センサ１１が測定した湿度との関係を示すグラフである。ファン１５の逆方向の回転数は１０００ｒｐｍとし、環境条件は大ガス条件（乾球温度：３０℃、湿球温度：２７℃（３０℃、８０％ＲＨ［Relative Humidity］））、すなわち、夏の高湿度の環境条件とする。
【００２８】
冷房０分のグラフ（一点鎖線）が示すように、内部１Ｂが乾燥している場合には、逆方向のファン回転を１０分間行っても、湿度は上昇しない。
【００２９】
一方、空気調和機１が冷房運転を１時間行った場合の冷房１時間のグラフ（実線）、空気調和機１が冷房運転を８分間行った場合の冷房８分のグラフ（破線）が示すように、空気調和機１が冷房運転した場合には、冷房１時間のグラフではα％の湿度上昇が見られ、冷房８分のグラフではβ％の湿度上昇が見られる。このとき、α＞βとなっている。これは、冷房運転により、内部１Ｂが高湿度になるからであり、冷房運転の時間が長いほど、内部１Ｂがより高湿度になるからである。
【００３０】
図４が示す内部乾燥運転の処理において、制御部１４は、図５の冷房８分のグラフが示すβ％を、湿度の上昇値の閾値として用いている。
【００３１】
本実施形態によれば、ファン１５の逆回転を利用することにより、冷暖房運転などの空気調和運転を行う際に室内の温度および湿度の測定用に取り付けられている温湿度センサ１１を用いて内部の湿度を測定することができる。そのため、内部測定用のセンサを追加する必要がなく、コスト削減が可能である。また、内部乾燥運転後の空気調和機１の内部を低湿度にすることができる。さらに、冷房後であっても、空気調和機１の内部が低湿度であれば、内部乾燥運転を短く（または省略）することもできる。
【００３２】
〔実施形態２〕
本発明の実施形態２について、図６に基づいて説明すれば、以下のとおりである。なお、説明の便宜上、上記実施形態にて説明した部材と同じ機能を有する部材については、同じ符号を付記し、その説明を省略する。
【００３３】
本実施形態において、制御部１４は、湿度の上昇値と所定の閾値との差分に応じて、送風運転の継続時間を調整する。図５に示すように、冷房１時間の方が冷房８分よりも、湿度の上昇値が大きいことが分かる。従って、湿度の上昇値から、どれくらいの乾燥が必要かを推定できる。乾燥がより必要な場合には、送風運転の継続時間を長くすることにより、逆方向のファン回転および湿度測定の回数を、実施形態１と比較して減らすことができる。
【００３４】
図６は、本実施形態に係る制御部１４の処理を示すフローチャートである。これは、空気調和機１における内部乾燥運転の処理フローである。以下に、図６を参照しながら、処理の詳細を説明する。
【００３５】
制御部１４は、送風運転を３０分実施する（Ｓ６０１）。制御部１４は、ルーバ用モータ１２にルーバを開くように指示し、ファン用モータ１３に正方向のファン回転を行うように指示する。
【００３６】
制御部１４は、内部１Ｂにおける空気の湿度を測定する（Ｓ６０２）。制御部１４は、吸い込み口１Ａに設置されている温湿度センサ１１から湿度のデータを取得する。なお、Ｓ６０２の実行のタイミングについては、実施形態１におけるＳ４０２の実行のタイミングについて前述したとおり同様である。
【００３７】
送風運転の開始から３０分が経過した場合、制御部１４は、逆方向のファン回転を１０分実施する（Ｓ６０３）。すなわち、制御部１４は、ファン１５を逆方向に所定時間回転させる指示をファン用モータ１３に対して行う。
【００３８】
逆方向のファン回転から１０分が経過した場合、制御部１４は、内部１Ｂにおける空気の湿度を測定する（Ｓ６０４）。そして、制御部１４は、Ｓ６０４で測定した湿度からＳ６０２で測定した湿度を減算し、その減算した差分を湿度の上昇値とする。
【００３９】
制御部１４は、湿度の上昇値が第１閾値であるα値以上であるか否かを判定する（Ｓ６０５）。湿度の上昇値がα値以上でない、すなわち、湿度の上昇値がα値よりも小さい場合（Ｓ６０５のＮＯ）、制御部１４は、湿度の上昇値が第２閾値であるβ値以上であるか否かを判定する（Ｓ６０６）。β値は、α値よりも小さい値である。
【００４０】
湿度の上昇値がβ値以上でない、すなわち、湿度の上昇値がβ値よりも小さい場合（Ｓ６０６のＮＯ）、内部１Ｂがほぼ乾燥した状態になったことを意味するので、制御部１４は、暖房運転を１０分実施して（Ｓ６０７）、内部乾燥運転の処理を終了する。
【００４１】
Ｓ６０５の判定において湿度の上昇値がα値以上である場合（Ｓ６０５のＹＥＳ）、内部１Ｂの湿度が高いため乾燥しにくい状態になっていることを意味するので、制御部１４は、前回の送風運転より長い時間、例えば送風運転を４５分実施する（Ｓ６０８）。その後、制御部１４は、内部１Ｂにおける空気の湿度を測定して（Ｓ６０２）、内部乾燥運転の処理を続行する。
【００４２】
Ｓ６０６の判定において湿度の上昇値がβ値以上である場合（Ｓ６０６のＹＥＳ）、内部１Ｂの乾燥が不十分であることを意味するので、制御部１４は、前回の送風運転と同じ時間、例えば送風運転を３０分実施する（Ｓ６０９）。なお、Ｓ６０９における２回目以降の送風運転の時間を、回数が増えるごとに、少しずつ（例えば５分ずつ）短くしてもよい。その後、制御部１４は、内部１Ｂにおける空気の湿度を測定して（Ｓ６０２）、内部乾燥運転の処理を続行する。
【００４３】
図６が示す内部乾燥運転の処理において、制御部１４は、図４の冷房１時間のグラフが示すα％を、湿度の上昇値の第１閾値として用いている。また、制御部１４は、図４の冷房８分のグラフが示すβ％を、湿度の上昇値の第２閾値として用いている。
【００４４】
なお、図６が示す内部乾燥運転の処理においては、制御部１４は、２個の閾値を用いて２個の送風運転の継続時間を使い分けているが、３個以上の閾値を用いて３個以上の送風運転の継続時間を使い分けてもよい。これにより、送風運転をさらに無駄なく効率よく行うことができる。
【００４５】
また、Ｓ６０５において、制御部１４は、湿度の上昇値がα値よりも大きいか否かを判定してもよい。Ｓ６０６において、制御部１４は、湿度の上昇値がβ値よりも大きいか否かを判定してもよい。
【００４６】
〔実施形態３〕
本発明の実施形態３について、図７に基づいて説明すれば、以下のとおりである。なお、説明の便宜上、前記実施形態にて説明した部材と同じ機能を有する部材については、同じ符号を付記し、その説明を省略する。
【００４７】
本実施形態において、制御部１４は、湿度の上昇値と所定の閾値との差分に応じて、送風運転におけるファン１５の回転速度を調整する。図５に示すように、冷房１時間の方が冷房８分よりも、湿度の上昇値が大きいことが分かる。従って、湿度の上昇値から、どれくらいの乾燥が必要かを推定できる。乾燥がより必要な場合であっても、送風運転におけるファン１５の回転速度を上げることにより、送風運転の継続時間を同じにすることができる。
【００４８】
図７は、本実施形態に係る制御部１４の処理を示すフローチャートである。これは、空気調和機１における内部乾燥運転の処理フローである。以下に、図７を参照しながら、処理の詳細を説明する。
【００４９】
制御部１４は、基本風による送風運転を３０分実施する（Ｓ７０１）。制御部１４は、ルーバ用モータ１２にルーバを開くように指示し、ファン用モータ１３に正方向のファン回転を行うように指示する。
【００５０】
制御部１４は、内部１Ｂにおける空気の湿度を測定する（Ｓ７０２）。制御部１４は、吸い込み口１Ａに設置されている温湿度センサ１１から湿度のデータを取得する。なお、Ｓ７０２の実行のタイミングについては、実施形態１におけるＳ４０２の実行のタイミングについて前述したとおり同様である。
【００５１】
送風運転の開始から３０分が経過した場合、制御部１４は、逆方向のファン回転を１０分実施する（Ｓ７０３）。すなわち、制御部１４は、ファン１５を逆方向に所定時間回転させる指示をファン用モータ１３に対して行う。
【００５２】
逆方向のファン回転から１０分が経過した場合、制御部１４は、内部１Ｂにおける空気の湿度を測定する（Ｓ７０４）。そして、制御部１４は、Ｓ７０４で測定した湿度からＳ７０２で測定した湿度を減算し、その減算した差分を湿度の上昇値とする。
【００５３】
制御部１４は、湿度の上昇値が第１閾値であるα値以上であるか否かを判定する（Ｓ７０５）。湿度の上昇値がα値以上でない、すなわち、湿度の上昇値がα値よりも小さい場合（Ｓ７０５のＮＯ）、制御部１４は、湿度の上昇値が第２閾値であるβ値以上であるか否かを判定する（Ｓ７０６）。β値は、α値よりも小さい値である。
【００５４】
湿度の上昇値がβ値以上でない、すなわち、湿度の上昇値がβ値よりも小さい場合（Ｓ７０６のＮＯ）、制御部１４は、暖房運転を１０分実施して（Ｓ７０７）、内部乾燥運転の処理を終了する。
【００５５】
Ｓ７０５の判定において湿度の上昇値がα値以上である場合（Ｓ７０５のＹＥＳ）、制御部１４は、強風による送風運転を３０分実施する（Ｓ７０８）。その後、制御部１４は、内部１Ｂにおける空気の湿度を測定して（Ｓ７０２）、内部乾燥運転の処理を続行する。
【００５６】
Ｓ７０６の判定において湿度の上昇値がβ値以上である場合（Ｓ７０６のＹＥＳ）、制御部１４は、基本風による送風運転を３０分実施する（Ｓ７０９）。なお、Ｓ７０９における風速を、強風と基本風との中間に設定してもよい。その後、制御部１４は、内部１Ｂにおける空気の湿度を測定して（Ｓ７０２）、内部乾燥運転の処理を続行する。
【００５７】
図７が示す内部乾燥運転の処理において、制御部１４は、図４の冷房１時間のグラフが示すα％を、湿度の上昇値の第１閾値として用いている。また、制御部１４は、図４の冷房８分のグラフが示すβ％を、湿度の上昇値の第２閾値として用いている。
【００５８】
なお、図７が示す内部乾燥運転の処理においては、制御部１４は、２個の閾値を用いて２個のファン１５の回転速度を使い分けているが、３個以上の閾値を用いて３個以上のファン１５の回転速度を使い分けてもよい。これにより、送風運転の継続時間が同じであっても、送風運転をさらに無駄なく効率よく行うことができる。
【００５９】
また、Ｓ７０５において、制御部１４は、湿度の上昇値がα値よりも大きいか否かを判定してもよい。Ｓ７０６において、制御部１４は、湿度の上昇値がβ値よりも大きいか否かを判定してもよい。
【００６０】
〔実施形態４〕
本発明の実施形態４について、図８に基づいて説明すれば、以下のとおりである。なお、説明の便宜上、前記実施形態にて説明した部材と同じ機能を有する部材については、同じ符号を付記し、その説明を省略する。
【００６１】
制御部１４は、ファン１５を逆方向に５分（第１の所定時間）回転させる指示をファン用モータ１３に対して行い、ファン１５を５分回転させた後に、温湿度センサ１１により検出された湿度に応じて、送風運転を行うか否かを判定する。制御部１４は、送風運転を行うと判定した場合に、ファン１５を逆方向に１０分（第２の所定時間）回転させる指示をファン用モータ１３に対して行う。制御部１４は、ファン１５を１０分回転させた後に、温湿度センサ１１により検出された湿度に応じて、送風運転を行うか否かを判定する。
【００６２】
図８は、本実施形態に係る制御部１４の処理を示すフローチャートである。これは、空気調和機１における内部乾燥運転の処理フローである。以下に、図８を参照しながら、処理の詳細を説明する。
【００６３】
制御部１４は、送風運転を３０分実施する（Ｓ８０１）。制御部１４は、ルーバ用モータ１２にルーバを開くように指示し、ファン用モータ１３に正方向のファン回転を行うように指示する。
【００６４】
制御部１４は、空気調和機１の内部１Ｂにおける空気の湿度を測定する（Ｓ８０２）。制御部１４は、吸い込み口１Ａに設置されている温湿度センサ１１から湿度のデータを取得する。なお、Ｓ８０２の実行のタイミングについては、実施形態１におけるＳ４０２の実行のタイミングについて前述したとおり同様である。
【００６５】
送風運転の開始から３０分が経過した場合、制御部１４は、逆方向のファン回転を、前記各実施形態のＳ４０３、Ｓ６０３およびＳ７０３で設定した時間より短い時間、例えば５分実施する（Ｓ８０３）。すなわち、制御部１４は、ファン１５を逆方向に所定時間回転させる指示をファン用モータ１３に対して行う。
【００６６】
逆方向のファン回転から５分が経過した場合、制御部１４は、内部１Ｂにおける空気の湿度を測定する（Ｓ８０４）。そして、制御部１４は、Ｓ８０４で測定した湿度からＳ８０２で測定した湿度を減算し、その減算した差分を湿度の上昇値とする。
【００６７】
制御部１４は、湿度の上昇値が第３閾値であるγ値以上であるか否かを判定する（Ｓ８０５）。γ値は、β値よりも小さい値である。湿度の上昇値がγ値以上でない、すなわち、湿度の上昇値がγ値よりも小さい場合（Ｓ８０５のＮＯ）、内部１Ｂが充分乾燥した状態になっていることを意味するので、制御部１４は、乾燥仕上げとして暖房運転を１０分実施して（Ｓ８０６）、内部乾燥運転の処理を終了する。
【００６８】
湿度の上昇値がγ値以上である場合（Ｓ８０５のＹＥＳ）、内部１Ｂの乾燥が不十分の可能性があることを意味するので、制御部１４は、逆方向のファン回転を１０分実施し（Ｓ８０７）、内部１Ｂにおける空気の湿度を測定する（Ｓ８０８）。そして、制御部１４は、Ｓ８０８で測定した湿度からＳ８０２で測定した湿度を減算し、その減算した差分を湿度の上昇値とする。なお、Ｓ８０７のファン回転の時間は、５分であってもよい。
【００６９】
制御部１４は、湿度の上昇値が第２閾値であるβ値以上であるか否かを判定する（Ｓ８０９）。
【００７０】
湿度の上昇値がβ値以上でない、すなわち、湿度の上昇値がβ値よりも小さい場合（Ｓ８０９のＮＯ）、内部１Ｂが乾燥した状態になっていることを意味するので、制御部１４は、暖房運転を１０分実施して（Ｓ８０６）、内部乾燥運転の処理を終了する。湿度の上昇値がβ値以上である場合（Ｓ８０９のＹＥＳ）、制御部１４は、再度送風運転を３０分実施して（Ｓ８０１）、内部乾燥運転の処理を続行する。なお、Ｓ８０９における２回目以降の送風運転の時間を、回数が増えるごとに、少しずつ（例えば５分ずつ）短くしてもよい。
【００７１】
なお、Ｓ８０５において、制御部１４は、湿度の上昇値がγ値よりも大きいか否かを判定してもよい。また、Ｓ８０９において、制御部１４は、湿度の上昇値がβ値よりも大きいか否かを判定してもよい。
【００７２】
本実施形態によれば、最初に、逆方向のファン回転を５分行った後に湿度を測定するので、送風運転の要否判断を早く行うことができる。次に、逆方向のファン回転を１０分行った後に湿度を測定するので、送風運転の要否判断を精度よく行うことができる。
【００７３】
〔ソフトウェアによる実現例〕
空気調和機１の制御部１４は、集積回路（ＩＣチップ）等に形成された論理回路（ハードウェア）によって実現してもよいし、ＣＰＵ（Central Processing Unit）を用いてソフトウェアによって実現してもよい。
【００７４】
後者の場合、空気調和機１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７５】
〔まとめ〕
本発明の態様１に係る空気調和機（１）は、空調を施す空気の吸い込み口の付近に設置された湿度センサ（温湿度センサ１１）と、上記吸い込み口から内部へ吸気する方向である正方向、または、内部から上記吸い込み口へ排気する方向である逆方向にファンを回転させるモータ（ファン用モータ１３）と、上記ファンを上記逆方向に回転させる指示を上記モータに対して行い、上記ファンを上記逆方向に回転させた状態で、上記湿度センサにより検出された湿度に応じて、上記ファンを上記正方向に回転させる指示を上記モータに対して行うことによる送風運転を行うか否かを判定する制御部（１４）と、を備えている。
【００７６】
上記構成によれば、空調を施す空気の湿度を測定する湿度センサを用いて、空気調和機の内部の湿度を精度よく測定できる。従って、湿度センサを新設することなく、適度に空気調和機の内部を乾燥させることができる。
【００７７】
本発明の態様２に係る空気調和機は、上記態様１において、上記制御部が、上記ファンを上記逆方向に所定時間回転させる指示を上記モータに対して行い、上記ファンを上記所定時間回転させた後に、上記湿度センサにより検出された湿度に応じて、上記送風運転を行うか否かを判定してもよい。
【００７８】
上記構成によれば、ファンを所定時間回転させることによって、湿度センサが、空気調和機の内部の湿度を検出する精度を高めることができる。また、ファンの回転継続時間を揃えることにより、湿度の測定条件が同じになるので、制御部が送風運転を行うか否かを判定する精度を高めることもできる。
【００７９】
本発明の態様３に係る空気調和機は、上記態様２において、上記制御部が、上記湿度の上昇値が所定の閾値以上である場合に、上記送風運転を行ってもよい。
【００８０】
上記構成によれば、空気調和機の内部の湿度が所定の閾値以上である場合に、送風運転を行うので、適度に空気調和機の内部を乾燥させることができる。
【００８１】
本発明の態様４に係る空気調和機は、上記態様３において、上記制御部が、上記湿度の上昇値と上記所定の閾値との差分に応じて、上記送風運転の継続時間を調整してもよい。
【００８２】
上記構成によれば、空気調和機の内部の湿度の上昇値と、所定の閾値との差分に応じて、送風運転の継続時間を調整するので、無駄なく、適度に空気調和機の内部を乾燥させることができる。
【００８３】
本発明の態様５に係る空気調和機は、上記態様３において、上記制御部が、上記湿度の上昇値と上記所定の閾値との差分に応じて、上記送風運転における上記ファンの回転速度を調整してもよい。
【００８４】
上記構成によれば、空気調和機の内部の湿度の上昇値と、所定の閾値との差分に応じて、送風運転におけるファンの回転速度を調整するので、無駄なく、適度に空気調和機の内部を乾燥させることができる。
【００８５】
本発明の態様６に係る空気調和機は、上記態様１において、上記制御部が、上記ファンを上記逆方向に第１の所定時間回転させる指示を上記モータに対して行い、上記ファンを上記第１の所定時間回転させた後に、上記湿度センサにより検出された湿度に応じて、上記送風運転を行うか否かを判定し、上記送風運転を行うと判定した場合に、上記ファンを上記逆方向に第２の所定時間回転させる指示を上記モータに対して行い、上記ファンを上記第２の所定時間回転させた後に、上記湿度センサにより検出された湿度に応じて、上記送風運転を行うか否かを判定する。
【００８６】
上記構成によれば、最初に、逆方向のファン回転を第１の所定時間行った後に湿度を測定するので、送風運転の要否判断を早く行うことができる。次に、逆方向のファン回転を第２の所定時間行った後に湿度を測定するので、送風運転の要否判断を精度よく行うことができる。なお、第１の所定時間と第２の所定時間との長短は限定されないが、第１の所定時間が第２の所定時間以下であることが、送風運転の要否判断を早く行えるので好ましい。
【００８７】
本発明の態様７に係る空気調和機の内部乾燥方法は、空気調和機に備えられた制御部が、内部から、空調を施す空気の吸い込み口へ排気する方向である逆方向にファンを回転させた状態で、上記吸い込み口の付近に設置された湿度センサによって、湿度を測定するステップと、上記湿度センサにより検出された湿度に応じて、上記吸い込み口から内部へ吸気する方向である正方向に上記ファンを回転させる送風運転を行うか否かを判定するステップと、を実行する。
【００８８】
本発明の各態様に係る空気調和機は、コンピュータによって実現してもよく、この場合には、コンピュータを上記空気調和機が備える制御部として動作させることにより上記空気調和機をコンピュータにて実現させる空気調和機の制御プログラムも、本発明の範疇に入る。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【００９０】
例えば、上記の実施形態においては、β値には、冷房８分に対応した値が設定されているが、冷房運転を２分間行った場合の値など別の値がβ値として設定されもよいし、室内空気の湿度に対して＋１％以内の値などがβ値として設定されてもよい。
【符号の説明】
【００９１】
１  空気調和機
１１  温湿度センサ（湿度センサ）
１２  ルーバ用モータ
１３  ファン用モータ（モータ）
１４  制御部
１５  ファン
α    湿度の上昇値の第１閾値（所定の閾値）
β    湿度の上昇値の第２閾値（所定の閾値）
【図１】
2018031577.tif 000003
【図２】
2018031577.tif 000004
【図３】
2018031577.tif 000005
【図４】
2018031577.tif 000006
【図５】
2018031577.tif 000007
【図６】
2018031577.tif 000008
【図７】
2018031577.tif 000009
【図８】
2018031577.tif 000010